(57)【要約】      （修正有）【課題】種々の業者と顧客が面談しながら、効果的に商談をすることができる、大型画面を有するテーブル型のタッチパネル構造体を提供する。【解決手段】テーブル１は、その表面に複数の人間が互いに共有しうる大型の表示画像部３を有する。テーブルには、表示画像部及びその周辺の額縁部２よりなる表面部分がテーブルの表面の一部分又は全体が形成され、その表面部分は、平滑な一枚のガラス板で覆われ、ガラス板の表面をタッチすることにより画像の変更・修正が可能な静電容量式タッチパネル機能を有している。タッチパネル機能は、複数の人間が同時に操作しうるマルチタッチ機能を有する。【選択図】図１
2017021505.tif 000002
【特許請求の範囲】
【請求項１】
下記（ａ）〜（ｅ）の要件を具備するテーブル型静電容量式タッチパネル構造体。
（ａ）テーブルには、その表面に複数の人間が互いに共有しうる大型の表示画像部
を有すること
（ｂ）テーブルには、表示画像部およびその周辺の額縁部よりなる表面部分がテー
ブルの表面の一部分、または全体を形成していること
（ｃ）表示画像部およびその周辺の額縁部よりなる表面部分は、平滑な一枚のガラ
ス板で覆われていること
（ｄ）前記表面部分は、ガラス板の表面をタッチすることにより画像の変更・修正
が可能な静電容量式タッチパネル機能を有していることおよび
（ｅ）前記タッチパネル機能は、複数の人間が同時に操作しうるマルチタッチ機能
を有すること
【請求項２】
テーブルの側面または前記表面部分には、表示画像の電源の入・切を指示するスイ
ッチ部または領域を有する請求項１記載のタッチパネル構造体。
【請求項３】
前記表面部分または側面部分には、タッチすることにより表示画像の複写を指示す
る領域を有する請求項１記載のタッチパネル構造体。
【請求項４】
前記表面部分または側面部分には、タッチすることによりタッチパネル機能を一時
的に停止する領域を有する請求項１記載のタッチパネル構造体。
【請求項５】
前記表面部分には、タッチすることにより表示画像の向きを半転または反転させる
領域を有する請求項１記載のタッチパネル構造体。
【請求項６】
テーブルの表面は、実質的に表示画像部およびその周辺の額縁部からなる請求項１
記載のタッチパネル構造体。
【請求項７】
テーブルにおける表示画像部は、３０インチ以上の大型画面である請求項１記載の
タッチパネル構造体。
【請求項８】
静電容量式タッチパネルは、透明フィルムの表面に多数の導電性金属線が平行して
且つパターン化して配列された導電性電極フィルムを基材として有している請求項
１記載のタッチパネル構造体。
【請求項９】
静電容量式タッチパネルは、透明フィルムの表面に多数の導電性金属線が０．２〜
３ｍｍの間隔で平行して形成され、各導電性金属線が１〜１０μｍであり、各導電性
金属線は隣接する２〜６本が一組の導電ラインとなって多数の導電ラインを形成し、
且つ各導電ラインは各組において、導電性金属線が互いに電気的に接続するように、
導電性金属線により網状化したパターンを形成している導電性電極フィルムを基材
として有している請求項１記載のタッチパネル構造体。
【発明の詳細な説明】
【技術分野】
【０００１】
本発明は、テーブル型静電容量式タッチパネル構造体に関する。さらに詳しくは
複数の人間がテーブルの表面に表示された画像を共有しつつ、画像の変更・修正を
マルチタッチで可能とするテーブル型静電容量式タッチパネル構造体に関する。
【背景技術】
【０００２】
従来、情報提供者が商品やサービスの紹介或いは説明をするには、情報受給者が
多数の場合、大型の縦形画やスクリーンを用いて行われている。この方法は、情報
受給者が或る特定の人（または少人数）の場合は、適した方法とは云い難い。すな
わち、この方法は情報の提供者と受給者が直接向き合っていないことや、個々の受
給者の要望に応じて画像の変更・修正が何時でも簡単にできないからである。
一方、結婚式場や住宅・マンション業者（建築業者）が顧客に商品やサービスの
内容を説明する場合、顧客の要望が多岐に亘り、かつ詳細に拡がり、その要望に応
ずるには極めて多くのカタログやサンプルを準備する必要がある。例えば、結婚式
場側では式場の大きさや間取り、テーブルの形や配置、料理の種類や内容、衣装の
柄や組合せなど準備する必要がある。
また、建築業者側では住宅の外観や環境、間取りや各室の様子、家具や内装品の
種類と取付け位置などの図面や材料を多数準備する必要がある。
これら業者側が準備するカタログやサンプルの内容は極めて多く、形状、色彩お
よびその組合せを考慮すると膨大な量となる。
前述したような商品やサービスの情報の提供者（業者）としては、結婚式場、住
宅やマンション（リフォームも含む）やカーディーラーなどがある。
【発明の開示】
【発明が解決しようとする課題】
【０００３】
前記した結婚式場や建築業者（以下これらを単に“業者”と略称することがあ
る）は、顧客の要望に対応するために、商品やサービスの内容を画像化し、画像を
液晶画面に示しながら商談を進める手段が最近開発されている。この商品やサービ
スの画像化が優れているのは、極めて多量の情報を電子記録媒体として記録できる
こと、この記録媒体の複製化が簡単であること、記録画像の取り出しや分離が簡単
であること、分離された画像の修正・変更が容易であること、さらに分離された画
像の部分的拡大、組合せや再配置が比較的簡単に操作できることなどである。
実際の現場では、業者と顧客が面談方式で商品やサービスの画像を共有しながら
商談が進められることが要望される。
【課題を解決するための手段】
【０００４】
本発明者は、業者と顧客が商品やサービスの内容を液晶画面を共有しながら、商
談を進めるための効果的手段について研究を進めた。
その結果、テーブル型のタッチパネルの使用が面談形式で優れていること、比較
的大型の画像を有しているテーブル型であることが望ましいこと、テーブル型の画
像は表面に凹凸が少なく（出来れば殆んど凹凸がなく）、出来れば一枚のガラス板
で形成されていることが望ましいこと、テーブル表面の画像は、その表面をタッチ
して画面の変更・修正が可能なタッチパネル機能を有していること、テーブル表面
の画像は、複数の人間が同時にタッチして操作できるマルチタッチ機能を有してい
ること、さらに大型画像を有するタッチパネルとして、多数の金属線が平行して且
つパターン化して配列された導電性フィルムを電極基板として用いた静電容量式
タッチパネルが適していることが判明した。
【０００５】
本発明は、かゝる究明事実に基いて到達されたものであって、本発明によれば、
下記（１）〜（９）のタッチパネル構造体が提供される。
（１）下記（ａ）〜（ｅ）の要件を具備するテーブル型静電容量式タッチパネル構
造体。
（ａ）テーブルには、その表面に複数の人間が互いに共有しうる大型の表示画
像部を有すること
（ｂ）テーブルには、表示画像部およびその周辺の額縁部よりな
る表面部分がテーブルの表面の一部分、または全体を形成していること
（ｃ）表示画像部およびその周辺の額縁部よりなる表面部分は、平滑な一枚の
ガラス板で覆われていること
（ｄ）前記表面部分は、ガラス板の表面をタッチすることにより画像の変更・
修正が可能な静電容量式タッチパネル機能を有していることおよび
（ｅ）前記タッチパネル機能は、複数の人間が同時に操作しうるマルチタッチ
機能を有すること
（２）テーブルの側面または前記表面部分には、表示画像の電源の入・切を指示す
るスイッチ部または領域を有する前記（１）記載のタッチパネル構造体。
（３）前記表面部分または側面部分には、タッチすることにより表示画像の複写を
指示する領域を有する前記（１）記載のタッチパネル構造体。
（４）前記表面部分または側面部分には、タッチすることによりタッチパネル機能
を一時的に停止する領域を有する前記（１）記載のタッチパネル構造体。
（５）前記表面部分には、タッチすることにより表示画像の向きを半転または反転
させる領域を有する前記（１）記載のタッチパネル構造体。
（６）テーブルの表面は、実質的に表示画像部およびその周辺の額縁部からなる前
記（１）記載のタッチパネル構造体。
（７）テーブルにおける表示画像部は、３０インチ以上の大型画面である前記
（１）記載のタッチパネル構造体。
（８）静電容量式タッチパネルは、透明フィルムの表面に多数の導電性金属線が平
行して且つパターン化して配列された導電性電極フィルムを基材として有し
ている前記（１）記載のタッチパネル構造体。
（９）静電容量式タッチパネルは、透明フィルムの表面に多数の導電性金属線が
０．２〜３ｍｍの間隔で平行して形成され、各導電性金属線は幅が１〜１０
μｍであり、各導電性金属線は隣接する２〜６本が一組の導電ラインとなって
多数の導電ラインを形成し、且つ各導電ラインは各組において、導電性金属線
が互いに電気的に接続するように、導電性金属線により網状化したパターンを
形成している導電性電極フィルムを基材として有している前記（１）記載のタ
ッチパネル構造体。
【発明の効果】
【０００６】
本発明の静電容量式タッチパネル構造体は、大型の表示画像部を有するテーブル
型であるので、業者と顧客とがテーブルの画像を介して面談しながら、商品やサー
ビスの多量の内容を簡単にかつ迅速に共有でき、表示画像の変更・修正を業者と顧
客が互いに或いは同時にタッチして操作でき、かくして商談を綿密に、互いに納得
していく状態で実施でき、また変更・修正された画像や内容を複製し保存できるの
で商談の信頼性も高まり、確実に安心できるものとなる。
【図面の簡単な説明】
【０００７】
【図１】本発明のテーブル型静電容量式タッチパネル構造体のテーブル表面の正              面図を示す。
【図２】図１の正面図におけるＸ−Ｘ’線直角断面図を示す。
【図３】静電容量式タッチパネルの一例の断面図の模式図を示す。
【図４】静電容量式タッチパネルの他の一例の断面図の模式図を示す。
【図５】本発明の静電容量式タッチパネルに基材として使用される導電性電極フ              ィルムの一例を示す平面図を模式的に示すものである。
【発明を実施するための形態】
【０００８】
本発明のテーブル型静電容量式タッチパネル構造体について、図面を参照して以
下具体的に説明する。図１は、本発明の前記タッチパネル構造体のテーブル表面の
正面図の一例を示す。テーブルの正面図の形は円形、楕円形、正方形、または長方
形など特に限定されないが、正方形や長方形のような矩形状であるのが望ましい。
図１に示したテーブルの形は上方から見た正面図は矩形状であって、テーブル１が
全体の形を示している。図１のテーブルは、テーブルの表面が実質的に表示画像部
３およびその周辺の額縁部２よりなる態様を示したものである。テーブル１は図１
には示されていないが、額縁部３の外周部がさらに木製板やプラスチック板で囲ま
れていてもよい。この外周部が存在する場合、外周部の表面は、表示画像部３およ
び額縁部２と同一平滑表面を形成することが好ましく、また外周部の幅は３インチ
（約７．５センチ）以下、好ましくは２インチ（約５センチ）以下であることが望
ましい。図１において、テーブル１の周辺部には額縁部２を有し、その額縁部２の
内側には表示画像部３を有している。この表示画像部３は、１つの画面であっても
よく、また複数個の表示画面が存在してもよい。この表示画像部３は複数の人間が
面談しながら商談し、且つ表示画像部３をタッチして画面の変更・修正を操作でき
るものであり、大型の画面である。
【０００９】
ここで大型とは、通常テレビジョンの型（大きさ）を表わす表示画像部３の対角
線の長さをインチ単位で表わして、３０インチ以上、好ましくは３２〜５５インチ
である。
本発明におけるタッチパネル構造体の表面のテーブルは、図１に示したように表
示画像部３およびその周辺の額縁部２よりなる表面部分が平滑な一枚のガラス板
で覆われていることが特徴である。すなわち、前記表面部分のガラス板が後述する
ように、タッチパネルを発現するための構成材料の１つとして機能している。
前記表面部分における一枚のガラス板は、静電容量式タッチパネルのガラス板と
しての役割を果たしている。かくしてこのガラス板は、平滑で厚みが３ｍｍ以上、
好ましくは３〜５ｍｍであるのが望ましく、またこのガラス板は強化ガラス板であ
るのが好ましい。
【００１０】
前述したように本発明のタッチパネル構造体は、それを構成するガラス板が、テ
ーブル１の表面部分に露出した状態で形成されている。かくしてタッチパネル構造
体は、ガラス板の表面をタッチすることにより画像の変更・修正が可能なタッチパ
ネル機能を有している。またこのタッチパネル機能は、個人や複数の人間が同時に
操作しうるマルチタッチ機能を有している。
ここで“画像の変更・修正”とは、画像の入れ換え（改頁）、部分的拡大や縮小
色彩の変更、部分材料の配置の変更、消去や追加、設計の変更などを意味する。ま
た“マルチタッチ”とは、シングル（例えば指一本）タッチのみならず、２本また
はそれ以上の指でタッチすることにより、画像の変更・修正する機能を意味し、そ
の操作は、一人でも複数の人間であってもよい。
【００１１】
本発明のタッチパネル構造体には、主電源からの電気を開・閉を制御する副電源
スイッチ、もしくは信号線の入／切スイッチを有していることが望ましく、その電
源もしくは信号線の入／切はテーブルの側面であってもよく、またテーブルの表面
部分に入・切を指示する領域を形成し、その領域をタッチすることに操作してもよ
い。その領域は、表面部分の画像部分または額縁部のいずれであってもよいが、額
縁部に形成されていることが好ましい。
図１の額縁部２には、電源の入・切をタッチで操作する領域４−１が存在するこ
とが示されている。この領域４−１には、電源の入・切を意味する例えば「ＯＮ・
ＯＦＦ」が表示されていてもよい。またテーブルの表面部分にはタッチすることに
より、表示画像の複写を指示する領域を有することもできる。表示画像を操作中、
特定の画面の保存や複写を所望する場合、その画面をタッチにより指示するための
領域を額縁部の例えば図１の４−２に設けることができる。
【００１２】
また、本発明のタッチパネル構造体の表面部分、殊にその額縁部にはタッチする
ことにより、タッチパネル機能を一時的に停止させる領域を設けることができる。
この領域をタッチすると、タッチパネル機能が一時的に停止され、画像の変更・修
正が作用しなくなることになる。この機能は、例えば顧客が画像のガラス板上に手
のひらを接触させたり、肘をついたり、物品（例えばボトル、コップ、文具など）
を置いた場合、画像が乱れたり、操作不能になることを防止するために必要な機能
である。この一時的停止機能を指示する領域は図１には示されていないが、４−１
および４−２と同様に額縁部に設置することが望ましい。一時的停止を指示する領
域は、その停止を解除したい場合は、再びこの領域をタッチすることにより、画像
操作の復帰をさせることができる。
さらに本発明のタッチパネル構造体の表面部分をタッチすることにより、表示画
像の向き（方向）を半転または反転させる領域を設けることもできる。この画像の
向きの半転または反転させることにより、画像を見る角度により、顧客または業者
が納得することに役立つことになる。半転または反転とは、画像の方向が約９０度
または１８０度変わることを意味する。
【００１３】
本発明のタッチパネル構造体は、前述したようにテーブル型であって、そのテー
ブルは前記（ａ）〜（ｅ）の要件を具備している点に特徴を有している。このタッ
チパネル構造体は、静電容量式のタッチパネル機能を発現するタッチパネル部およ
び液晶表示ディバイス部よりなる。すなわち、図１の平面図において、Ｘ−Ｘ’線
直角断面図が図２に示されている。静電容量式タッチパネル部（以下単に“タッチ
パネル部”と略すことがある）が５と示され、また液晶表示ディバイス部が６とし
て示されている。
図２のように、本発明のタッチパネル構造体は、液晶表示ディバイス部６の上面
に、タッチパネル部５が設置された構造を有し、この両者によってテーブルを形成
していることになる。
【００１４】
次に本発明のテーブルの表面を形成しているタッチパネル部５について説明す
る。タッチパネル部５は、それ自体静電容量式タッチパネル機能を有していて、そ
の表面が一枚のガラス板で覆われている。
本発明のタッチパネル部は、大型画像を有していることが要件であり、そのため
タッチパネルを構成している基材としての導電性電極フィルムも大型であること
が必要となる。大型の基材としての電極フィルムとしては、（ａ）透明フィルムの
表面に多数の導電性金属線が平行して、且つパターン化して配列された導電性電極
フィルム、或いは（ｂ）透明フィルムの表面に多数の導電性金属線が０．２〜
３ｍｍの間隔で平行して形成され、各導電性金属線は幅が１〜１０μｍであり、各
導電性金属線は隣接する２〜６本が一組の導電ラインとなって多数の導電ライン
を形成し、且つ各導電ラインは各組において、導電性金属線が互いに電気的に接続
するように、導電性金属線により網状化したパターンを形成している導電性電極フ
ィルムであることが望ましい。これら（ａ）或いは（ｂ）の電極フィルムにおける
金属線のパターン配列の具体例については後述することにする。
【００１５】
本発明のタッチパネル部５は、静電容量式タッチパネル機能を有し、前述したよ
うに前記（ａ）或いは（ｂ）の金属線のパターン配列の電極フィルムを基板として
有しているものが有利である。
本発明のタッチパネル５として推奨される構造を図３および図４として示す。す
なわち、図３および図４は、静電容量式タッチパネルの直角断面図を示したもので
あり、図３で示したものを「構成‐１」と呼び、図４で示したものを「構成‐２」
と呼ぶことにする。
（１）構成‐１のタッチパネル；
構成‐１のタッチパネル５は、図３に示すように上部から、ガラス板７／透
明接着剤層８／電極基板（導電性金属線１０と透明フィルム９）／透明接着剤
層８／電極基板（導電性金属線１０と透明フィルム９）より構成される。
この構成‐１のタッチパネル５は、基本的には、ガラス板７と２枚の導電性
電極基板（導電性金属線がパターン化された透明フィルム）が透明接着剤によ
り貼り合わされた構造を有している。
（２）構成‐２のタッチパネル；
構成‐２のタッチパネルは、図４に示すように上部から、ガラス板７／透明
接着剤層８／導電性金属線１０／透明フィルム９／導電性金属線１０／保護
フィルム１１より構成される。
この構成−２のタッチパネル５は、基本的にはガラス板と透明フィルム９の
両面に導電性金属線１０がパターン化して配列された導電性フィルムとが透
明接着剤により貼り合わされた構造であり、最下面には保護フィルム１１を有
している。
【００１６】
次にタッチパネルを構成する透明フィルム、透明接着剤および導電性金属線の配
列パターンについて説明する。本発明のタッチパネル５における電極基板は、いず
れも透明フィルムの片面または両面に多数の導電性金属線が平行に形成されたも
のである。この透明フィルムとしては、樹脂フィルムであって透明性に優れたもの
であれば良く、例えば、ポリエステルフィルム、ポリカーボネートフィルム、ポリ
オレフィンフィルムまたはポリシクロオレフィンフィルムなどが例示できるが好
ましくはポリエステルフィルムである。具体的には、ポリエチレンテレフタレート
（ＰＥＴ）フィルムまたはポリエチレン−２．６−ナフタレート（ＰＥＮ）フィル
ムが好ましく、特に好ましいのはポリエチレンテレフタレート（ＰＥＴ）フィルム
である。これら透明フィルムは２軸延伸されたものが好ましく使用され、その厚み
は、５０〜３００μｍが適当であり、特に好ましくは８０〜２５０μｍである。
【００１７】
透明接着剤としては、絶縁性であって、透明フィルムを接着しうる接着剤を使用
することができる。例えば酢酸ビニル樹脂接着剤、エチレン・酢酸ビニル樹脂接着
剤、アクリル樹脂接着剤、合成ゴム接着剤、シリコーン樹脂接着剤などが挙げられ
る。これらのうちアクリル樹脂接着剤が好ましく、一般にＯＣＡ（Optical Clear 
Adhesive）と称されている接着剤が有利に使用される。
次に導電性金属線の配列パターンについて説明する。前述したように（ａ）およ
び（ｂ）の電極フィルムにおいて説明したように、多数の導電性金属線が平行して
且つパターン化して配列された導電性電極フィルムであることが有利であり、殊に
（ｂ）の電極フィルムであることが望ましい。
この（ｂ）の電極フィルムについて、図５により説明する。すなわち、図５にお
いて、多数の導電性金属線が図面上横方向に平行して形成されている。多数の導電
性金属線は、隣接する２〜６本、好ましくは３〜５本が一緒になって１つの組とな
り、１つの導電ラインを形成している。図５では３本の導電性金属線が一緒になっ
て１つの導電ラインとなっている。導電ラインである組は、Ｘ−１、Ｘ−２、Ｘ−
３、Ｘ−４・・・Ｘ−ｎで示されている。
【００１８】
各組の導電ラインは、それぞれの組において導電性金属線が互いに電気的に接続
するように導電性金属線により網状化したパターンを形成している。すなわち、図
５では網状化している導電性金属線は、説明上点線で示されている。以下この点線
で示されている導電性金属線を“網状化線”と略称することがある。この網状化線
は、図５では平行な多数の金属線に対して、梯子状となるように直角方向に形成さ
れている。しかしこの網状化線は、平行で直線状の金属線に対して直角方向である
ことは好ましいことではあるが、必ずしもその必要はない。
或る程度の角度をもって網状化されていてもよい、必要なことは、網状化線は、各
々の組（導電性ライン）の中で、その組を形成している金属線が互いに電気的に接
続して、１つの導電性ラインとなっていればよく、１つの組と他の組とが電気的に
接続していないことが肝要である。つまり、組と組との間には網状化線は存在しな
い。
【００１９】
各組内の網状化線は、導電性金属線が、部分的にまたは局所的に傷付いたり或い
は破断した場合に、各組の導電ラインが電気的な接続を維持するために機能してい
る。網状化線は、導電性金属線の長さ方向１０ｍｍに対して１組当たり、１本〜５
本、好ましくは２〜５本であるのが望ましい。
導電性金属線は、幅が１〜１０μｍ、好ましくは２〜８μｍであるのが望ましく
その厚みは０．１〜５μｍ、好ましくは、０．１〜４μｍであるのが有利である。
また網状化線の幅および厚みは、前記した導電性金属線と同じ範囲から選択され
る。
導電性金属線および網状化線は、導電性金属材料が使用され、具体的にはＣｕ、
Ｎｉ、Ａ&#8467;、Ａｇ、Ｃｒ、これら金属の２種以上よりなる合金またはこれら
金属の複層で積層された構造で形成されたものが挙げられる。これらのうち、好ま
しくはＣｕ、Ａｇであり、特にＣｕが加工性及び価格の点で有利である。
【００２０】
図５の電気基板[Ａ]は、２〜６本の導電性金属線が１組となって、１つの導電ラ
イン（Ｘ−１、Ｘ−２、Ｘ−３、Ｘ−４、・・・Ｘ−ｎ）を形成している。各組の
導電性金属線の数は同じ本数であることが望ましい。図５では３本の導電性金属線
が１組となっている。各組内における導電性金属線の間隔（中心線と中心線の距
離）は、０．２〜３ｍｍ好ましくは、０．３〜２．５ｍｍであって平行に直線状に
配置されている。この導電性金属線の間隔は、前記範囲内において等間隔であるの
が好ましい。
各組における導電性金属線の数は、同じ本数であることが望ましく、また各組に
おける導電性金属線の間隔も、同じ値であることが望ましい。しかし、組と組との
間隔は１．５〜１０ｍｍ、好ましくは２〜８ｍｍであることが望ましく、組と組と
の間隔は等間隔であるのが有利である。
【００２１】
導電性金属線および網状化線は、透明フィルムの片面にフォトレジスト加工、フ
ォトエッジング加工により形成させることができる。透明フィルムの表面に形成さ
れている導電性金属線は、組内における金属線の間隔および組と組との間隔は、同
じ値であること（等間隔であること）が加工の点および利用しコントロールする点
において有利である。
以上電極基板[Ａ]について図５により説明したが、電極基板[Ｂ]も、図５の[Ｂ]
に示されているように、導電性金属線の材料、線の幅と厚み、一組における導電性
金属線の数と間隔、網状化線の形態と数は電極基板[Ａ]で説明した内容の範囲から
選択される。
【００２２】
図５では電極基板[Ｂ]は、多数の導電性金属線が縦方向に平行に且つ、直線状に
形成され、各組の導電ラインが３本の導電性金属線よりなり、各組がＹ−１、Ｙ−
２、Ｙ−３、Ｙ−４およびＹ−ｎとして示されているが、これは後述するように電
極基板[Ａ]及び電極基板[Ｂ]を貼り合せた場合の状態の理解のためである。
電極基板[Ｂ]は、電極基板[Ａ]と同様に独立して導電性金属線および網状化線を
透明フィルム面上に配置し形成せしめればよい。
本発明のタッチパネル５は、前記した電極基板[Ａ]および電極基板[Ｂ]がそれぞ
れの導電性金属線が形成されている面が貼り合わされた場合（構造‐１）、それぞ
れの導電性金属線の平行する方向が直交するように、且つ両基板は両方の導電性金
属線が直接電気的に接触しないように絶縁性の透明接着剤層を介して貼り合わさ
れている。
【００２３】
図５により説明すると、電極基板[Ａ]と電極基板[Ｂ]とはＺ−Ｚ’で示す一点鎖
線を中心に内側に折り曲げて重ねたような状態で貼り合せるか、或いは電極基板
[Ａ]と電極基板[Ｂ]を別々に作成し、両基板を図５のようにそのまま重ね合せて貼
り合せると、両基板の導電性金属線の平行配列が直交するようになる。
本発明のタッチパネル５は、前記したように構成‐１では電極基板[Ａ]および
[Ｂ]が接着剤層を介して貼り合わされた構造を有している。そして両基板における
各組における導電ラインの端末から電気的に端子に接続されるが図５には各々の
端末から端子への接続ラインは図示されてはいない。各組からそれぞれ電気的に端
子を介してコントローラへ接続される。
また前記構成‐２に説明したように、一枚の透明フィルム９の両面に導電性金属
線１０がパターン化して配列された導電性フィルムを使用する場合は、透明フィル
ムの片面および裏面に図５の[Ａ]および[Ｂ]で図示した導電性金属線のパターン
をそれぞれ形成させればよい。
【００２４】
本発明のタッチパネル５は、構成‐１または構成‐２のいずれも開口率が８５％
以上、好ましくは８７〜９８％、特に好ましくは８８〜９６％であることが有利で
ある。開口率が８５％未満になると光線透過率が低くなり望ましくない。ここで開
口率とはタッチパネル５の表面の平面図における導電性金属線が形成された領域
の実質面積を１００とした時、導電性金属線（網状化線も含めて）が占める合計の
面積を除く面積の割合を云う。
本発明のタッチパネル５は、静電容量式タッチパネルの部材として適している。
特に電極基板[Ａ]と[Ｂ]に形成されている導電性金属線は導電性に優れ、微細であ
っても一部が破損または断線しても網状化されているため一組の導電ラインとし
て機能が維持されているので大型画像のタッチパネル材料として有利である。
【産業上の利用可能性】
【００２５】
本発明のテーブル型静電容量式タッチパネル構造体は、テーブル型であって、そ
の表面には大型の液晶画像を有する画面が一枚のガラス板に形成され、そのガラス
板の表面をタッチすることにより、静電容量式により画像を修正・変更が可能であ
るので、下記に示す業界で業者と顧客との面談や商談に有利に利用される。
（ａ）結婚式場における業者と顧客との商談
（ｂ）建築業者と顧客との商談
（ｃ）リフォーム業者と顧客との商談
（ｄ）旅行業者と顧客との商談
（ｅ）催物業者（イベント業者）と顧客との商談
本発明のテーブル型静電容量式タッチパネルは、大型画面をテーブルとして利用
し、面談形式で商談を進めることができ、画面の修正・変更が互いのタッチによっ
て容易に可能であり、特に２次電源の入・切、画像の複写の指示、タッチパネル機
能の一時的停止の指示、表示画像の半転または反転の指示などが画像部や額縁部の
領域部に設定することができるので、極めて効果的に安心して迅速に商談を進める
ことができるという利点を有している。
【符号の説明】
【００２６】
１．テーブル
２．額縁部
３．表示画面部
４‐１.電源の入力領域
４‐２.表示画面の複写用の入力領域
５．タッチパネル部
６．液晶表示ディバイス
７．ガラス板
８．透明接着剤層
９．透明フィルム
１０．導電性金属線
１１．保護フィルム
［Ａ］電極基板
［Ｂ］電極基板
（Ａ）透明フィルム
（Ｂ）透明フィルム
Ｘ−１；導電ライン
Ｙ−１；導電ライン
【図１】
2017021505.tif 000003
【図２】
2017021505.tif 000004
【図３】
2017021505.tif 000005
【図４】
2017021505.tif 000006
【図５】
2017021505.tif 000007